(57)【要約】【課題】作業者の熟練度合いに依存せずに物品の包装を容易に行う。【解決手段】包装用具１０は、平板状の第１部分１１と、第２部分１２と、第３部分１３と、第１一側端部２１と、第２一側端部２２と、第３一側端部２３と、を備える。第２部分１２は、第１部分１１に対して第１方向ｄ１の一側に配置され、第１部分１１に対して折り曲げ可能である。第３部分１３は、第１部分１１に対して第１方向ｄ１の他側に配置され、第１部分１１に対して折り曲げ可能である。第１一側端部２１は、第１部分１１に対して第１方向ｄ１と非平行な第２方向ｄ２の一側に配置され、第１部分１１に対して折り曲げ可能である。第２一側端部２２は、第２部分１２に対して第２方向ｄ２の一側に配置され、第２部分１２に対して折り曲げ可能である。第３一側端部２３は、第３部分１３に対して第２方向ｄ２の一側に配置され、第３部分１３に対して折り曲げ可能である。【選択図】図１Ａ
2019034783.tif 000002
【特許請求の範囲】
【請求項１】
シート状の包装材料を折り曲げるための包装用具であって、
平板状の第１部分と、
前記第１部分に対して第１方向の一側に配置され、前記第１部分に対して折り曲げ可能な平板状の第２部分と、
前記第１部分に対して前記第１方向の他側に配置され、前記第１部分に対して折り曲げ可能な平板状の第３部分と、
前記第１部分に対して前記第１方向と非平行な第２方向の一側に配置され、前記第１部分に対して折り曲げ可能な平板状の第１一側端部と、
前記第２部分に対して前記第２方向の一側に配置され、前記第２部分に対して折り曲げ可能な平板状の第２一側端部と、
前記第３部分に対して前記第２方向の一側に配置され、前記第３部分に対して折り曲げ可能な平板状の第３一側端部と、を備える、包装用具。
【請求項２】
前記第２部分に対して前記第１方向の一側に配置され、前記第２部分に対して折り曲げ可能な平板状の第４部分をさらに備える、請求項１に記載の包装用具。
【請求項３】
前記第４部分に対して前記第２方向の一側に配置され、前記第４部分に対して折り曲げ可能な平板状の第４一側端部をさらに備える、請求項２に記載の包装用具。
【請求項４】
前記第４部分は、開口部を有する、請求項２または３に記載の包装用具。
【請求項５】
前記第４部分は、前記開口部を通り前記第１方向と非平行な直線に沿って、折り曲げ可能である、請求項４に記載の包装用具。
【請求項６】
前記第３部分に対して前記第１方向の他側に配置され、前記第３部分に対して折り曲げ可能な平板状の第５部分をさらに備える、請求項４または５に記載の包装用具。
【請求項７】
前記第２部分、前記第３部分、前記第４部分及び前記第５部分をそれぞれ折り曲げた状態で、前記第５部分は、前記第４部分の前記開口部と重なる位置に、切欠き部を有する、請求項６に記載の包装用具。
【発明の詳細な説明】
【技術分野】
【０００１】
本発明は、シート状の包装材料を折り曲げるための包装用具に関する。
【背景技術】
【０００２】
紙等のシート状の包装材料によって物品を包装することが広く行われている。とりわけ、箱状の物品を包装する方法として、キャラメル包装が行われている。キャラメル包装とは、図１４に示すように、包装される物品の胴面（側面）に対して包装材料を巻き付け、包装材料の両端部を物品の胴面で重ね、物品の端面より外方に延出した包装材料を内側に折り曲げて物品の端面に重なるようにした包装である。すなわち、キャラメル包装は、物品の胴面に対して包装材料を巻き付ける工程と、物品の端面より外方に延出した包装材料の端部を内側に折り曲げて物品の端面に重ねる工程と、によって行われる。
【０００３】
物品を包装材料でキャラメル包装するために、例えば包装工程の全部を自動で行う装置や、特許文献１のような包装工程の一部を自動で行う装置が用いられることもあるが、包装工程の全部を人手によって行われることも多い。人手によってキャラメル包装が行われる場合、例えば特許文献２のような用具を用いることで、物品を包装することができる。
【先行技術文献】
【特許文献】
【０００４】
【特許文献１】特開平８−１４３００４号公報
【特許文献２】実開昭６０−５２２１１号公報
【発明の概要】
【発明が解決しようとする課題】
【０００５】
特許文献１では、物品の端面より外方に延出した包装材料の端部を物品の端面に折り曲げる工程を行う装置が記載されている。しかしながら、引用文献１に開示された装置を利用する場合、物品の胴面に包装材料を巻き付けた状態で、装置の使用を開始することになる。物品の胴面に巻き付けられた包装材料を引用文献１の装置に投入することは煩雑であり、必ずしも包装作業が容易になるとは言えない。
【０００６】
また、特許文献２では、物品の胴面に対して包装材料を巻き付ける工程を行う用具が記載されている。しかしながら、物品の端面より外方に延出した包装材料を物品の端面に折り曲げる工程は、別途に手作業で行わなければならない。そして、物品の端面より外方に延出した包装材料を物品の端面に折り曲げる工程は、物品の胴面に対して包装材料を巻き付ける工程以上に、ずれを生じさせやすいため、作業者の熟練度合いによって包装の品質や効率が大きく変わってしまう。
【０００７】
本発明は、以上の点を考慮してなされたものであり、作業者の熟練度合いに依存せずに物品の包装を容易に行うことができる包装用具を提供することを目的とする。
【課題を解決するための手段】
【０００８】
本発明の包装用具は、
シート状の包装材料を折り曲げるための包装用具であって、
平板状の第１部分と、
前記第１部分に対して第１方向の一側に配置され、前記第１部分に対して折り曲げ可能な平板状の第２部分と、
前記第１部分に対して前記第１方向の他側に配置され、前記第１部分に対して折り曲げ可能な平板状の第３部分と、
前記第１部分に対して前記第１方向と非平行な第２方向の一側に配置され、前記第１部分に対して折り曲げ可能な平板状の第１一側端部と、
前記第２部分に対して前記第２方向の一側に配置され、前記第２部分に対して折り曲げ可能な平板状の第２一側端部と、
前記第３部分に対して前記第２方向の一側に配置され、前記第３部分に対して折り曲げ可能な平板状の第３一側端部と、を備える。
【０００９】
本発明の包装用具において、前記第２部分に対して前記第１方向の一側に配置され、前記第２部分に対して折り曲げ可能な平板状の第４部分をさらに備えてもよい。
【００１０】
本発明の包装用具において、前記第４部分に対して前記第２方向の一側に配置され、前記第４部分に対して折り曲げ可能な平板状の第４一側端部をさらに備えてもよい。
【００１１】
本発明の包装用具において、前記第４部分は、開口部を有してもよい。
【００１２】
本発明の包装用具において、前記第４部分は、前記開口部を通り前記第１方向と非平行な直線に沿って、折り曲げ可能であってもよい。
【００１３】
本発明の包装用具において、前記第３部分に対して前記第１方向の他側に配置され、前記第３部分に対して折り曲げ可能な平板状の第５部分をさらに備えてもよい。
【００１４】
本発明の包装用具において、前記第２部分、前記第３部分、前記第４部分及び前記第５部分をそれぞれ折り曲げた状態で、前記第５部分は、前記第４部分の前記開口部と重なる位置に、切欠き部を有してもよい。
【発明の効果】
【００１５】
本発明によれば、作業者の熟練度合いに依存せずに物品の包装を容易に行うことができる。
【図面の簡単な説明】
【００１６】
【図１Ａ】図１Ａは、本発明の包装用具の一例を示す平面図である。
【図１Ｂ】図１Ｂは、図１Ａに対応する図であって、包装用具の一例を示す斜視図である。
【図２】図２は、包装材料によって包装される物品の一例を示す斜視図である。
【図３】図３は、折り曲げられた状態の包装用具を示す斜視図である。
【図４Ａ】図４Ａは、包装用具の作用を説明するための平面図である。
【図４Ｂ】図４Ｂは、図４Ａに対応する図であって、包装用具の作用を説明するための斜視図である。
【図５Ａ】図５Ａは、包装用具の作用を説明するための平面図である。
【図５Ｂ】図５Ｂは、図５Ａに対応する図であって、包装用具の作用を説明するための斜視図である。
【図６Ａ】図６Ａは、包装用具の作用を説明するための平面図である。
【図６Ｂ】図６Ｂは、図６Ａに対応する図であって、包装用具の作用を説明するための斜視図である。
【図７Ａ】図７Ａは、包装用具の作用を説明するための平面図である。
【図７Ｂ】図７Ｂは、図７Ａに対応する図であって、包装用具の作用を説明するための斜視図である。
【図８Ａ】図８Ａは、包装用具の作用を説明するための平面図である。
【図８Ｂ】図８Ｂは、図８Ａに対応する図であって、包装用具の作用を説明するための斜視図である。
【図９Ａ】図９Ａは、包装用具の作用を説明するための平面図である。
【図９Ｂ】図９Ｂは、図９Ａに対応する図であって、包装用具の作用を説明するための斜視図である。
【図１０Ａ】図１０Ａは、包装用具の作用を説明するための平面図である。
【図１０Ｂ】図１０Ｂは、図１０Ａに対応する図であって、包装用具の作用を説明するための斜視図である。
【図１１】図１１は、包装用具の作用を説明するための斜視図である。
【図１２】図１２は、包装用具の作用を説明するための斜視図である。
【図１３】図１３は、包装用具の作用を説明するための斜視図である。
【図１４】図１４は、包装材料で包装された物品を示す斜視図である。
【図１５】図１５は、包装用具の他の例を示す平面図である。
【図１６】図１６は、包装用具のさらに他の例を示す平面図である。
【図１７】図１７は、包装用具のさらに他の例を示す平面図である。
【図１８】図１８は、図１７の包装用具の作用を説明するための斜視図である。
【図１９】図１９は、図１７の包装用具の作用を説明するための斜視図である。
【図２０】図２０は、図１７の包装用具の作用を説明するための斜視図である。
【図２１】図２１は、図１７の包装用具の作用を説明するための斜視図である。
【図２２Ａ】図２２Ａは、包装用具の一変形例を示す平面図である。
【図２２Ａ１】図２２Ａ１は、包装用具の一変形例を示す平面図である。
【図２２Ｂ】図２２Ｂは、包装用具の一変形例を示す平面図である。
【図２２Ｃ】図２２Ｃは、包装用具の一変形例を示す平面図である。
【図２２Ｄ】図２２Ｄは、包装用具の一変形例を示す平面図である。
【図２２Ｅ】図２２Ｅは、包装用具の一変形例を示す平面図である。
【図２２Ｆ】図２２Ｆは、包装用具の一変形例を示す平面図である。
【図２３Ａ】図２３Ａは、包装用具の一変形例を示す平面図である。
【図２３Ｂ】図２３Ｂは、包装用具の一変形例を示す平面図である。
【図２３Ｃ】図２３Ｃは、包装用具の一変形例を示す平面図である。
【図２３Ｄ】図２３Ｄは、包装用具の一変形例を示す平面図である。
【図２３Ｅ】図２３Ｅは、包装用具の一変形例を示す平面図である。
【図２３Ｆ】図２３Ｆは、包装用具の一変形例を示す平面図である。
【図２３Ｇ】図２３Ｇは、包装用具の一変形例を示す平面図である。
【図２３Ｈ】図２３Ｈは、包装用具の一変形例を示す平面図である。
【図２３Ｉ】図２３Ｉは、包装用具の一変形例を示す平面図である。
【図２４Ａ】図２４Ａは、包装用具の一変形例を示す平面図である。
【図２４Ａ１】図２４Ａ１は、包装用具の一変形例を示す平面図である。
【図２４Ｂ】図２４Ｂは、包装用具の一変形例を示す平面図である。
【図２４Ｃ】図２４Ｃは、包装用具の一変形例を示す平面図である。
【図２５Ａ】図２５Ａは、包装用具の一変形例を示す平面図である。
【図２５Ｂ】図２５Ｂは、包装用具の一変形例を示す平面図である。
【図２５Ｃ】図２５Ｃは、包装用具の一変形例を示す平面図である。
【図２５Ｄ】図２５Ｄは、包装用具の一変形例を示す平面図である。
【図２５Ｅ】図２５Ｅは、包装用具の一変形例を示す平面図である。
【図２６Ａ】図２６Ａは、包装用具の一変形例を示す平面図である。
【図２６Ｂ】図２６Ｂは、包装用具の一変形例を示す平面図である。
【図２６Ｃ】図２６Ｃは、包装用具の一変形例を示す平面図である。
【図２６Ｄ】図２６Ｄは、包装用具の一変形例を示す平面図である。
【図２６Ｅ】図２６Ｅは、包装用具の一変形例を示す平面図である。
【図２７Ａ】図２７Ａは、包装用具の一変形例を示す平面図である。
【図２７Ｂ】図２７Ｂは、包装用具の一変形例を示す平面図である。
【図２７Ｃ】図２７Ｃは、包装用具の一変形例を示す平面図である。
【図２７Ｄ】図２７Ｄは、包装用具の一変形例を示す平面図である。
【図２７Ｅ】図２７Ｅは、包装用具の一変形例を示す平面図である。
【図２８Ａ】図２８Ａは、包装用具の一変形例を示す平面図である。
【図２８Ｂ】図２８Ｂは、包装用具の一変形例を示す平面図である。
【図２８Ｃ】図２８Ｃは、包装用具の一変形例を示す平面図である。
【図２８Ｄ】図２８Ｄは、包装用具の一変形例を示す平面図である。
【図２８Ｅ】図２８Ｅは、包装用具の一変形例を示す平面図である。
【図２９Ａ】図２９Ａは、包装用具の一変形例を示す平面図である。
【図２９Ｂ】図２９Ｂは、包装用具の一変形例を示す平面図である。
【図２９Ｃ】図２９Ｃは、包装用具の一変形例を示す平面図である。
【図２９Ｄ】図２９Ｄは、包装用具の一変形例を示す平面図である。
【図２９Ｅ】図２９Ｅは、包装用具の一変形例を示す平面図である。
【図３０Ａ】図３０Ａは、包装用具の一変形例を示す平面図である。
【図３０Ｂ】図３０Ｂは、包装用具の一変形例を示す平面図である。
【図３０Ｃ】図３０Ｃは、包装用具の一変形例を示す平面図である。
【図３０Ｄ】図３０Ｄは、包装用具の一変形例を示す平面図である。
【図３０Ｅ】図３０Ｅは、包装用具の一変形例を示す平面図である。
【図３１Ａ】図３１Ａは、包装用具の一変形例を示す平面図である。
【図３１Ｂ】図３１Ｂは、包装用具の一変形例を示す平面図である。
【図３１Ｃ】図３１Ｃは、包装用具の一変形例を示す平面図である。
【図３１Ｄ】図３１Ｄは、包装用具の一変形例を示す平面図である。
【図３１Ｅ】図３１Ｅは、包装用具の一変形例を示す平面図である。
【発明を実施するための形態】
【００１７】
以下、図１Ａ〜図１４を参照しながら、本発明の一実施の形態について説明する。
【００１８】
図１Ａは、本発明の第１の実施の形態として包装用具１０の一例を示す平面図であり、図１Ｂは、図１Ａの包装用具１０の斜視図である。包装用具１０は、紙等のシート状の包装材料５で物品１を包装する際に、包装材料５の所定の位置に折り目を付けて物品１の包装を容易に行うために用いられる。
【００１９】
包装用具１０によって包装される物品１は、例えば図２に示すような直方体状の形状を有する。物品１は単一の部材であってもよいし、複数の部材の組み合わせであってもよい。例えば物品１は、紙の積層体であり得る。図２に示された物品１は、下側側面１ａと、上側側面１ｂと、一側側面１ｃと、他側側面１ｄと、一側端面１ｅと、他側端面１ｆと、を有する。下側側面１ａと上側側面１ｂ、一側側面１ｃと他側側面１ｄ、一側端面１ｅと他側端面１ｆが、互いに対面している。以下の説明において、物品１の胴面とは、下側側面１ａ、上側側面１ｂ、一側側面１ｃ及び他側側面１ｄのことを示し、物品１の端面とは一側端面１ｅ及び他側端面１ｆのことを示す。
【００２０】
包装材料５は、シート状の部材であり、折り曲げられることで物品１を包装することができる。包装材料５は、例えば平面視において矩形形状を有する。包装材料５の大きさや材料は、包装される物品１の大きさや包装材料５に要求される強度等によって適当に選択される。包装材料５は、典型的には紙とすることができる。
【００２１】
図１Ａ及び図１Ｂに示されている包装用具１０は、第１部分１１と、第２部分１２と、第３部分１３と、第４部分１４と、第５部分１５と、第６部分１６と、第１一側端部２１と、第２一側端部２２と、第３一側端部２３と、第４一側端部２４と、第１他側端部３１と、第２他側端部３２と、第３他側端部３３と、第４他側端部３４と、を備えている。第１部分１１、第２部分１２、第３部分１３、第４部分１４、第５部分１５及び第６部分１６は、物品１の胴面に対して包装材料５を巻き付ける工程で用いられ、第１一側端部２１、第２一側端部２２、第３一側端部２３、第４一側端部２４、第１他側端部３１、第２他側端部３２、第３他側端部３３及び第４他側端部３４は、物品１の端面より外方に延出した包装材料５の端部を内側に折り曲げて物品１の端面に重ねる工程で用いられる。包装用具１０のこれらの各要素は、平板状となっている。図１Ａ及び図１Ｂに示された例では、包装用具１０の各要素は、第１方向ｄ１及び第１方向ｄ１に非平行な第２方向ｄ２に広がっている。図示された例では、第１方向ｄ１と第２方向ｄ２とは、互いに直交している。また、包装用具１０の各要素は、樹脂板、金属板、厚紙等で形成され得る。包装用具１０の各要素は、同じ材料で形成されていてもよいし、互いに異なる材料で形成されていてもよい。
【００２２】
次に、包装用具１０の各要素について説明する。
【００２３】
第１部分１１、第２部分１２、第３部分１３及び第４部分１４は、平面視において矩形形状を有している。第１部分１１は、後述する物品１の包装工程において、物品１の下側側面１ａと面する。第１部分１１の寸法は、物品１の下側側面１ａの寸法に対応して決定される。図示された例においては、平面視における第１部分１１の寸法は、物品１の下側側面１ａの寸法と同じである。
【００２４】
第２部分１２は、第１部分１１に対して第１方向ｄ１の一側に配置されている。図示された例では、第２部分１２は、第１部分１１と隣接している。また、第２方向ｄ２における第１部分１１と隣接する第２部分１２の縁の長さは、第２部分１２と隣接する第１部分１１の縁の長さと同一である。すなわち、第１部分１１の第１方向ｄ１の一側の縁と第２部分１２の第１方向ｄ１の他側の縁とは、その全域に亘って、接触している。言い換えると、第１部分１１と第２部分１２とは、直線を境界線として接触している。第２部分１２は、第１部分１１に対して、第１部分１１と第２部分１２との境界線に沿って、折り曲げることができる。すなわち、第２部分１２は、第１部分１１と第２部分１２との境界線を軸として回動することができる。
【００２５】
第２部分１２は、後述する物品１の包装工程において、物品１の一側側面１ｃと面する。第２部分１２の寸法は、物品１の一側側面１ｃの寸法に対応して決定される。図示された例においては、平面視における第２部分１２の寸法は、物品１の一側側面１ｃの寸法と同じである。
【００２６】
第３部分１３は、第１部分１１に対して第１方向ｄ１の他側に配置されている。図示された例では、第３部分１３は、第１部分１１と隣接している。また、第２方向ｄ２における第１部分１１と隣接する第３部分１３の縁の長さは、第３部分１３と隣接する第１部分１１の縁の長さと同一である。すなわち、第１部分１１の第１方向ｄ１の他側の縁と第３部分１３の第１方向ｄ１の一側の縁とは、その全域に亘って、接触している。言い換えると、第１部分１１と第３部分１３とは、直線を境界線として接触している。第３部分１３は、第１部分１１に対して、第１部分１１と第３部分１３との境界線に沿って、折り曲げることができる。すなわち、第３部分１３は、第１部分１１と第３部分１３との境界線を軸として回動することができる。また、第１方向ｄ１における第２部分１２の長さと第３部分１３の長さとは、同一であることが好ましい。
【００２７】
第３部分１３は、後述する物品１の包装工程において、物品１の他側側面１ｄと面する。第３部分１３の寸法は、物品１の他側側面１ｄの寸法に対応して決定される。図示された例においては、平面視における第３部分１３の寸法は、物品１の他側側面１ｄの寸法と同じである。
【００２８】
第４部分１４は、第２部分１２に対して第１方向ｄ１の一側に配置されている。図示された例では、第４部分１４は、第２部分１２と隣接している。また、第２方向ｄ２における第２部分１２と隣接する第４部分１４の縁の長さは、第４部分１４と隣接する第２部分１２の縁の長さと同一である。すなわち、第２部分１２の第１方向ｄ１の一側の縁と第４部分１４の第１方向ｄ１の他側の縁とは、その全域に亘って、接触している。言い換えると、第２部分１２と第４部分１４とは、直線を境界線として接触している。第４部分１４は、第２部分１２に対して、第２部分１２と第４部分１４との境界線に沿って、折り曲げることができる。すなわち、第４部分１４は、第２部分１２と第４部分１４との境界線を軸として回動することができる。また、第１方向ｄ１における第１部分１１の長さと第４部分１４の長さとは、同一であることが好ましい。
【００２９】
第４部分１４は、好ましくは、開口部１４ａを有している。開口部１４ａは、物品１の胴面に対して包装材料５を巻き付ける工程を行った後、物品１の胴面の一部において包装材料５を固定するためのテープ等の固定手段を包装材料５に貼り付けるために設けられている。
【００３０】
また、第４部分１４は、開口部１４ａを通り第１方向ｄ１と非平行な方向に延びる直線Ｌに沿って、図示された例では、第１方向ｄ１における第４部分１４の中央を通り第２方向ｄ２に延びる直線Ｌに沿って、折り曲げることができる。すなわち、第４部分１４は、第２方向ｄ２を軸として回動することができる。言い換えると、第４部分１４は、第１方向ｄ１で半分に折り畳まれて二つ折りにされることができる。ただし、後述の変形例でも説明するように、折り曲げ中心となる直線Ｌは、第１方向ｄ１における第４部分１４の中央に位置する必要はなく、第１方向ｄ１における第４部分１４の中央からずれていてもよい。
【００３１】
第４部分１４は、後述する物品１の包装工程において、物品１の上側側面１ｂと面する。第４部分１４の寸法は、物品１の上側側面１ｂの寸法に対応して決定される。図示された例においては、平面視における第４部分１４の寸法は、物品１の上側側面１ｂの寸法と同じである。
【００３２】
第５部分１５は、第３部分１３に対して第１方向ｄ１の他側に配置されている。図示された例では、第５部分１５は、第３部分１３と隣接している。また、第２方向ｄ２における第３部分１３と隣接する第５部分１５の縁の長さは、第５部分１５と隣接する第３部分１３の縁の長さと同一である。すなわち、第３部分１３の第１方向ｄ１の他側の縁と第５部分１５の第１方向ｄ１の一側の縁とは、その全域に亘って、接触している。言い換えると、第３部分１３と第５部分１５とは、直線を境界線として接触している。第５部分１５は、第３部分１３に対して、第３部分１３と第５部分１５との境界線に沿って、折り曲げることができる。すなわち、第５部分１５は、第３部分１３と第５部分１５との境界線を軸として回動することができる。
【００３３】
第５部分１５は、平面視において略矩形形状を有しているが、切欠き部１５ａを有している。切欠き部１５ａは、図３に示すように、第２部分１２、第３部分１３、第４部分１４及び第５部分１５をそれぞれ９０°折り曲げた状態で、第４部分１４の開口部１４ａと第５部分１５とが重なる位置に設けられている。切欠き部１５ａは、物品１の胴面に対して包装材料５を巻き付ける工程を行った後に物品１の胴面の一部において包装材料５を固定するための固定手段の包装材料への貼り付けを、第５部分１５に妨げられることなく行うために設けられている。
【００３４】
第５部分１５は、後述する物品１の包装工程において、物品１の上側側面１ｂと面する。第５部分１５の寸法は、物品１の上側側面１ｂの寸法に対応して決定される。図示された例においては、平面視における第５部分１５の寸法は、物品１の上側側面１ｂの寸法より小さくなっている。
【００３５】
第６部分１６は、第４部分１４に対して第１方向ｄ１の一側に配置されている。図示された例では、第６部分１６は、第４部分１４と隣接している。また、第２方向ｄ２における第４部分１４と隣接する第６部分１６の縁の長さは、第６部分１６と隣接する第４部分１４の縁の長さと同一である。すなわち、第４部分１４の第１方向ｄ１の一側の縁と第６部分１６の第１方向ｄ１の他側の縁とは、その全域に亘って、接触している。言い換えると、第４部分１４と第６部分１６とは、直線を境界線として接触している。第６部分１６は、第４部分１４に対して、第４部分１４と第６部分１６との境界線に沿って、折り曲げることができる。すなわち、第６部分１６は、第４部分１４と第６部分１６との境界線を軸として回動することができる。
【００３６】
図示された例において、第６部分１６は、平面視において台形形状を有している。しかしながら、第６部分１６は矩形形状等の任意の形状であってもよい。また、第６部分１６の第１方向ｄ１に沿った長さは、第２部分１２の第１方向ｄ１に沿った長さと等しいことが好ましい。この場合、後述する包装用具１０を用いた包装材料５による物品１の包装工程において、第４部分１４が二つ折りにされた際に、第６部分１６の縁１６ａが第１部分１１と第２部分１２との境界線に一致するため、第６部分１６の縁１６ａに物品１を当接させることによって、包装される物品１が第１部分１１に面するような位置決めを容易に行うことができる。
【００３７】
第１一側端部２１は、第１部分１１に対して第２方向ｄ２の一側に配置されている。図示された例では、第１一側端部２１は、第１部分１１と隣接している。また、第１方向ｄ１における第１一側端部２１と隣接する第１部分１１の縁の長さと第１部分１１と隣接する第１一側端部２１の縁の長さとは、同一である。すなわち、第１部分１１の第２方向ｄ２の一側の縁と第１一側端部２１の第２方向ｄ２の他側の縁とは、その全域に亘って、接触している。言い換えると、第１部分１１と第１一側端部２１とは、直線を境界線として接触している。第１一側端部２１は、第１部分１１に対して、第１部分１１と第１一側端部２１との境界線に沿って、折り曲げることができる。すなわち、第１一側端部２１は、第１部分１１と第１一側端部２１との境界線を軸として、回動することができる。
【００３８】
第１他側端部３１は、第１部分１１に対して第２方向ｄ２の他側に配置されている。図示された例では、第１他側端部３１は、第１部分１１と隣接している。また、第１方向ｄ１における第１他側端部３１と隣接する第１部分１１の縁の長さと第１部分１１と隣接する第１他側端部３１の縁の長さとは、同一である。すなわち、第１部分１１の第２方向ｄ２の他側の縁と第１他側端部３１の第２方向ｄ２の一側の縁とは、その全域に亘って、接触している。言い換えると、第１部分１１と第１他側端部３１とは、直線を境界線として接触している。第１他側端部３１は、第１部分１１に対して、第１部分１１と第１他側端部３１との境界線に沿って、折り曲げることができる。すなわち、第１他側端部３１は、第１部分１１と第１他側端部３１との境界線を軸として、回動することができる。
【００３９】
第２一側端部２２は、第２部分１２に対して第２方向ｄ２の一側に配置されている。図示された例では、第２一側端部２２は、第２部分１２と隣接している。また、第１方向ｄ１における第２一側端部２２と隣接する第２部分１２の縁の長さと第２部分１２と隣接する第２一側端部２２の縁の長さとは、同一である。すなわち、第２部分１２の第２方向ｄ２の一側の縁と第２一側端部２２の第２方向ｄ２の他側の縁とは、その全域に亘って、接触している。言い換えると、第２部分１２と第２一側端部２２とは、直線を境界線として接触している。第２一側端部２２は、第２部分１２に対して、第２部分１２と第２一側端部２２との境界線に沿って、折り曲げることができる。すなわち、第２一側端部２２は、第２部分１２と第２一側端部２２との境界線を軸として、回動することができる。
【００４０】
第２他側端部３２は、第２部分１２に対して第２方向ｄ２の他側に配置されている。図示された例では、第２他側端部３２は、第２部分１２と隣接している。また、第１方向ｄ１における第２他側端部３２と隣接する第２部分１２の縁の長さと第２部分１２と隣接する第２他側端部３２の縁の長さとは、同一である。すなわち、第２部分１２の第２方向ｄ２の他側の縁と第２他側端部３２の第２方向ｄ２の一側の縁とは、その全域に亘って、接触している。言い換えると、第２部分１２と第２他側端部３２とは、直線を境界線として接触している。第２他側端部３２は、第２部分１２に対して、第２部分１２と第２他側端部３２との境界線に沿って、折り曲げることができる。すなわち、第２他側端部３２は、第２部分１２と第２他側端部３２との境界線を軸として、回動することができる。
【００４１】
第３一側端部２３は、第３部分１３に対して第２方向ｄ２の一側に配置されている。図示された例では、第３一側端部２３は、第３部分１３と隣接している。また、第１方向ｄ１における第３一側端部２３と隣接する第３部分１３の縁の長さと第３部分１３と隣接する第３一側端部２３の縁の長さとは、同一である。すなわち、第３部分１３の第２方向ｄ２の一側の縁と第３一側端部２３の第２方向ｄ２の他側の縁とは、その全域に亘って、接触している。言い換えると、第３部分１３と第３一側端部２３とは、直線を境界線として接触している。第３一側端部２３は、第３部分１３に対して、第３部分１３と第３一側端部２３との境界線に沿って、折り曲げることができる。すなわち、第３一側端部２３は、第３部分１３と第３一側端部２３との境界線を軸として、回動することができる。
【００４２】
第３他側端部３３は、第３部分１３に対して第２方向ｄ２の他側に配置されている。図示された例では、第３他側端部３３は、第３部分１３と隣接している。また、第１方向ｄ１における第３他側端部３３と隣接する第３部分１３の縁の長さと第３部分１３と隣接する第３他側端部３３の縁の長さとは、同一である。すなわち、第３部分１３の第２方向ｄ２の他側の縁と第３他側端部３３の第２方向ｄ２の一側の縁とは、その全域に亘って、接触している。言い換えると、第３部分１３と第３他側端部３３とは、直線を境界線として接触している。第３他側端部３３は、第３部分１３に対して、第３部分１３と第３他側端部３３との境界線に沿って、折り曲げることができる。すなわち、第３他側端部３３は、第３部分１３と第３他側端部３３との境界線を軸として、回動することができる。
【００４３】
第４一側端部２４は、第４部分１４に対して第２方向ｄ２の一側に配置されている。図示された例では、第４一側端部２４は、第４部分１４と隣接している。また、第１方向ｄ１における第４一側端部２４と隣接する第４部分１４の縁の長さと第４部分１４と隣接する第４一側端部２４の縁の長さとは、同一である。すなわち、第４部分１４の第２方向ｄ２の一側の縁と第４一側端部２４の第２方向ｄ２の他側の縁とは、その全域に亘って、接触している。言い換えると、第４部分１４と第４一側端部２４とは、直線を境界線として接触している。第４一側端部２４は、第４部分１４に対して、第４部分１４と第４一側端部２４との境界線に沿って、折り曲げることができる。すなわち、第４一側端部２４は、第４部分１４と第４一側端部２４との境界線を軸として、回動することができる。
【００４４】
第４他側端部３４は、第４部分１４に対して第２方向ｄ２の他側に配置されている。図示された例では、第４他側端部３４は、第４部分１４と隣接している。また、第１方向ｄ１における第４他側端部３４と隣接する第４部分１４の縁の長さと第４部分１４と隣接する第４他側端部３４の縁の長さとは、同一である。すなわち、第４部分１４の第２方向ｄ２の他側の縁と第４他側端部３４の第２方向ｄ２の一側の縁とは、その全域に亘って、接触している。言い換えると、第４部分１４と第４他側端部３４とは、直線を境界線として接触している。第４他側端部３４は、第４部分１４に対して、第４部分１４と第４他側端部３４との境界線に沿って、折り曲げることができる。すなわち、第４他側端部３４は、第４部分１４と第４他側端部３４との境界線を軸として、回動することができる。
【００４５】
第１一側端部２１、第２一側端部２２、第３一側端部２３及び第４一側端部２４は、後述する物品１の包装工程において、物品１の一側端面１ｅと面するようになる。第１一側端部２１、第２一側端部２２、第３一側端部２３及び第４一側端部２４の寸法は、物品１の一側端面１ｅの寸法に対応して決定される。図示された例において、平面視における第１一側端部２１、第２一側端部２２、第３一側端部２３及び第４一側端部２４の第２方向ｄ２の寸法は、物品１の一側端面１ｅの寸法より小さくなっている。
【００４６】
第１他側端部３１、第２他側端部３２、第３他側端部３３及び第４他側端部３４は、後述する物品１の包装工程において、物品１の他側端面１ｆと面するようになる。第１他側端部３１、第２他側端部３２、第３他側端部３３及び第４他側端部３４の寸法は、物品１の他側端面１ｆの寸法に対応して決定される。図示された例において、平面視における第１他側端部３１、第２他側端部３２、第３他側端部３３及び第４他側端部３４の第２方向ｄ２の寸法は、物品１の他側端面１ｆの寸法より小さくなっている。
【００４７】
図示された例において、第１一側端部２１、第１他側端部３１、第２一側端部２２、第２他側端部３２、第３一側端部２３、第３他側端部３３、第４一側端部２４及び第４他側端部３４は、平面視において台形形状を有している。しかしながら、これらは、矩形形状等の任意の形状出会ってもよい。また、図示された例のように、第１一側端部２１、第２一側端部２２、第３一側端部２３及び第４一側端部２４の第２方向ｄ２における長さは同じであってもよく、第１他側端部３１、第２他側端部３２、第３他側端部３３及び第４他側端部３４の第２方向ｄ２における長さは、同じであってもよい。第２方向ｄ２におけるこれらの長さは、包装工程において包装用具１０の上に設置される包装材料５の第２方向ｄ２における長さに対応して決定されてもよい。
【００４８】
包装用具１０の各要素において折り曲げ可能となっている各要素の間の境界線及び直線Ｌは、折り曲げを実現するために、強度低下手段（弱化手段）が形成されている。例えばハーフカットやミシンカットといった加工により、ハーフカット部またはミシン目としての強度低下手段（弱化手段）を形成することができる。
【００４９】
また、図示された例に限らず、包装用具１０の各要素が隣接しておらず、各要素の間に隙間があり、各要素が接続部によって互いに接続されていてもよい。すなわち、各要素が直接に接続しておらず、接続部を介して間接的に接続されていてもよい。この場合においても、包装用具１０の各要素は、要素間の隙間に沿って、折り曲げることができる。例えば、第１部分１１と第２部分１２とが隣接しておらず、その間に隙間があってもよく、第２部分１２は、第１部分１１に対して、第１部分１１と第２部分１２との間の隙間に沿って、折り曲げることができるようにしてもよい。
【００５０】
次に、図４Ａ〜図１４を参照しながら、包装用具１０の作用について説明する。すなわち、包装用具１０を用いて物品１を包装材料５で包装する工程について説明する。上述したように、包装用具１０を用いた包装材料５による物品１の包装工程には、物品１の胴面（下側側面１ａ、上側側面１ｂ、一側側面１ｃ及び他側側面１ｄ）に対して包装材料５を巻き付ける工程と、物品１の端面（一側端面１ｅ及び他側端面１ｆ）より外方に延出した包装材料５の端部を内側に折り曲げて物品１の端面に重ねる工程と、が含まれる。
【００５１】
まず、物品１の胴面に対して包装材料５を巻き付ける工程について説明する。
【００５２】
最初に、図４Ａ及び図４Ｂに示すように、包装用具１０の上に包装材料５が配置される。包装材料５は、第４部分１４の直線Ｌより第１方向ｄ１の他側に配置されることが好ましい。
【００５３】
なお、図４Ａ及び図４Ｂに示された例では、特に限定されないが、第２方向ｄ２における包装用具１０の長さ、すなわち第２方向ｄ２における第１部分１１、第１一側端部２１及び第１他側端部３１の長さの合計は、第２方向ｄ２における包装材料５の長さと同じとなっている。第２方向ｄ２における包装用具１０の長さが包装材料５の長さと同じとなっている場合、第２方向ｄ２における包装用具１０に対する包装材料５の位置決めを容易に行うことができる。
【００５４】
次に、図５Ａ及び図５Ｂに示すように、包装用具１０の第４部分１４が、直線Ｌに沿って折り曲げられ、平面視において第４部分１４が二つ折りにされる。包装材料５が直線Ｌより第１方向ｄ１の他側に配置されていると、第４部分１４の折り曲げ時に包装材料５に意図しない折り目が付かず、物品１の包装後に外観が損なわれることがない。その後、包装材料５は、折り曲げられた第４部分１４の間の、第４部分１４の折り曲げ線、すなわち直線Ｌに当接されることで、第１方向ｄ１において位置決めされる。
【００５５】
次に、図６Ａ及び図６Ｂに示すように、包装される物品１が包装材料５の上に配置される。第６部分１６の第１方向ｄ１における長さが第２部分１２の第１方向ｄ１における長さと同じため、物品１は、第６部分１６の縁１６ａに当接されることで第１方向ｄ１において位置決めされることができる。位置決めされた位置において、物品１の下側側面１ａは、包装材料５を介して、包装用具１０の第１部分１１に面している。さらには、平面視において、物品１の下側側面１ａと第１部分１１は一致している。
【００５６】
その後、図７Ａ及び図７Ｂに示すように、第６部分１６が第４部分１４に対して折り曲げられ、平面視において第６部分１６は第４部分１４に重ねられる。
【００５７】
次に、図８Ａ及び図８Ｂに示すように、第１部分１１に対して、第２部分１２及び第３部分１３が折り曲げられる。第１部分１１の寸法が物品１の下側側面１ａの寸法と同じであるため、第２部分１２及び第３部分１３は、物品１の側面に沿って折り曲げられることができる。第２部分１２及び第３部分１３が折り曲げられることで、包装材料５が折り曲げられて、第１部分１１と第２部分１２との間及び第１部分１１と第３部分１３との間に対面する位置で包装材料５に折り目が付けられる。
【００５８】
その後、図９Ａ及び図９Ｂに示すように、第３部分１３に対して、第５部分１５が折り曲げられる。第３部分１３の寸法が物品１の他側側面１ｄの寸法と同じであるため、第５部分１５は、物品１の上面に沿った方向に折り曲げられることができる。第５部分１５が折り曲げられることで、包装材料５が折り曲げられて、第３部分１３と第５部分１５との間に対面する位置で包装材料５に折り目が付けられる。
【００５９】
最後に、図１０Ａ及び図１０Ｂに示すように、第２部分１２に対して、第４部分１４が折り曲げられる。第２部分１２の寸法が物品１の一側側面１ｃの寸法と同じであるため、第４部分１４は、物品１の上面に沿った方向に折り曲げられることができる。また、図７Ａ及び図７Ｂに示した工程で、第６部分１６が第４部分１４に対して折り曲げられたため、第４部分１４の第２部分１２に対する折り曲げが、第６部分１６によって阻害されない。第４部分１４の第２部分１２に対する折り曲げは、直線Ｌに沿った第４部分１４の折り曲げを戻しながら行われる。また、第４部分１４に対する第６部分１６の折り曲げも戻され、さらに第６部分１６は、第４部分１４に対して、図７Ａ及び図７Ｂに示した側とは逆側に折り曲げられながら、第４部分１４は折り曲げられる。第４部分が折り曲げられることで、包装材料５が折り曲げられて、第２部分１２と第４部分１４との間に対面する位置で包装材料５に折り目が付けられる。物品１の上側側面１ｂにおいて、第５部分１５の折り曲げに伴って折り曲げられた包装材料５の上に、第４部分１４の折り曲げに伴って折り曲げられた包装材料５が重なっている。その後、第４部分１４の開口部１４ａを介して、物品１の胴面の一部である上側側面１ｂにおいて、テープ等の固定手段が包装材料５に貼り付けられ、包装材料５が固定される。
【００６０】
以上の工程によって、物品１の胴面、すなわち下側側面１ａ、一側側面１ｃ、上側側面１ｂ及び他側側面１ｄに対して包装材料５を巻き付ける工程が実施される。
【００６１】
なお、上述した工程では、物品１が包装材料５の上に配置された後に、第２部分１２及び第３部分１３が折り曲げられていた。しかしながら、まず第１部分１１に対して第２部分１２及び第３部分１３の少なくとも一方を折り曲げ、その後に第２部分１２または第３部分１３の折り曲げによって付けられた折り目によって、物品１を位置決めしながら配置してもよい。
【００６２】
また、上述した工程では、第２部分１２、第３部分１３が折り曲げられた後に第５部分１５が折り曲げられ、その後に第４部分１４が折り曲げられていた。しかしながら、まず第３部分１３，第５部分１５が折り曲げられ、その後に第２部分１２、第４部分１４が折り曲げられるようにしてもよい。
【００６３】
次に、物品１の端面より外方に延出した包装材料５の端部を内側に折り曲げて物品１の端面に重ねる工程について説明する。図１１〜図１４に示された例では、物品１の一側端面１ｅにおける包装工程のみが示されているが、他側端面１ｆにおける包装工程も一側端面１ｅと同様に行うことができる。
【００６４】
まず、図１１に示すように、第２一側端部２２が第２部分１２に対して折り曲げられ、第３一側端部２３が第３部分１３に対して折り曲げられる。第２一側端部２２及び第３一側端部２３が折り曲げられることで、包装材料５が折り曲げられて、第２部分１２と第２一側端部２２との間及び第３部分１３と第３一側端部２３との間に対面する位置で包装材料５に折り目が付けられる。このとき、第１部分１１の側及び第４部分１４の側の包装材料５は、第２一側端部２２及び第３一側端部２３の折り曲げに巻き込まれない。第２一側端部２２及び第３一側端部２３の第２方向ｄ２の寸法が物品１の一側端面１ｅの寸法より小さいため、第２一側端部２２及び第３一側端部２３のいずれか一方を折り曲げても他方の折り曲げを阻害することになりにくい。したがって、第２一側端部２２及び第３一側端部２３を同時に折り曲げることができる。
【００６５】
次に、図１２に示すように、第４一側端部２４が第４部分１４に対して折り曲げられる。第４一側端部２４が折り曲げられることで、第４部分１４と第４一側端部２４との間に対面する位置で包装材料５に折り目が付けられる。さらに、第２一側端部２２及び第３一側端部２３に面する包装材料５と第４一側端部２４に面する包装材料５との間の包装材料５が、第４一側端部２４の折り曲げに伴って折り畳まれ、折り目が付けられる。
【００６６】
その後、図１３に示すように、第１一側端部２１が第１部分１１に対して折り曲げられる。第４一側端部２４の第２方向ｄ２の寸法が物品の一側端面１ｅの寸法より小さいため、第４一側端部２４が折り曲げられた状態でも、第１一側端部２１の折り曲げを阻害することにはなりにくい。第１一側端部２１が折り曲げられることで、第１部分１１と第１一側端部２１との間に対面する位置で包装材料５に折り目が付けられる。さらに、第２一側端部２２及び第３一側端部２３に面する包装材料５と第１一側端部２１に面する包装材料５との間の包装材料５が第１一側端部２１の折り曲げに伴って折り畳まれ、折り目が付けられる。
【００６７】
以上の工程によって、物品１の一側端面１ｅより外方に延出した包装材料５の端部を内側に折り曲げて物品１の端面に重ねる工程が実施される。また、物品１の他側端面１ｆより外方に延出した包装材料５の端部を内側に折り曲げて物品１の端面に重ねる工程についても、上述した一側端面１ｅにおける工程と同様の工程によって実施される。
【００６８】
なお、上述した工程では、第２一側端部２２及び第３一側端部２３が折り曲げられた後に第４一側端部２４が折り曲げられ、その後に第１一側端部２１が折り曲げられていた。しかしながら、第１一側端部２１、第２一側端部２２、第３一側端部２３及び第４一側端部２４は、それぞれ任意の順に折り曲げられてもよい。ただし、第１一側端部２１、第２一側端部２２、第３一側端部２３及び第４一側端部２４が第１方向ｄ１に沿った方向の長さが短い順に折り曲げるほうが、包装後の包装材料５の外観をよくすることができるため、好ましい。
【００６９】
最後に、図１４に示すように、包装用具１０を取り外すことで、適切な位置に折り目が付けられた包装材料５で包装された物品１を得ることができる。包装用具１０の取り外しの際に、物品１の一側端面１ｅ及び他側端面１ｆにおいて重ねられた包装材料５にテープ等の固定手段が貼り付けられ、包装材料５が固定されてもよい。
【００７０】
このような工程においては、包装用具１０に対して物品１及び包装材料５が容易に位置決めされ、包装用具１０を折り曲げ可能な位置に従って折り曲げることで包装材料５の所定の位置に折り目を付けることができる。したがって、包装用具１０を用いることで、包装作業を行う作業者の熟練度合いに依存せずに、物品１の包装を容易に行うことができる。
【００７１】
次に、図１５〜図２１を参照しながら、本発明の別の実施の形態について説明する。
【００７２】
図１５に示す第２の実施の形態の包装用具１０では、第５部分１５の第１方向ｄ１における長さが短くなっており、第５部分１５に切欠き部１５ａが設けられていない点において、図１Ａに示した包装用具１０と異なっているが、その他の点においては同じである。
【００７３】
第２の実施の形態においては、第５部分１５が短くなっており、図３のように第２部分１２、第３部分１３、第４部分１４及び第５部分１５をそれぞれ９０°折り曲げた状態で、第４部分１４の開口部１４ａと第５部分１５とが重ならない。したがって、第５部分１５に切欠き部１５ａが設けられなくてよい。また、第５部分１５が短くなっていても、第４部分１４に対して第５部分１５が折り曲げ可能であるため、上述した第１の実施の形態の包装用具１０の作用と同様の工程によって、包装材料５に折り目を付けることができる。
【００７４】
図１６に示す第３の実施の形態の包装用具１０は、上述した第１の実施の形態の包装用具から、第４部分１４、第５部分１５、第６部分１６、第４一側端部２４及び第４他側端部３４を取り除いたものである。つまり、図１６に示す第３の実施の形態の包装用具１０は、上述した第１の実施の形態の包装用具１０における第１部分１１、第２部分１２、第３部分１３、第１一側端部２１、第２一側端部２２、第３一側端部２３、第１他側端部３１、第２他側端部３２及び第３他側端部３３のみを有する。
【００７５】
図１７に示す第４の実施の形態の包装用具１０は、上述した第１の実施の形態の包装用具から、第４部分１４、第５部分１５、第６部分１６、第１他側端部３１、第２他側端部３２、第３他側端部３３、第４一側端部２４及び第４他側端部３４を取り除いたものである。つまり、図１７に示す第４の実施の形態の包装用具１０は、上述した第１の実施の形態の包装用具１０における第１部分１１、第２部分１２、第３部分１３、第１一側端部２１、第２一側端部２２及び第３一側端部２３のみを有する。
【００７６】
第３及び第４の実施の形態の包装用具１０の作用について、図１８〜図２１を参照して説明する。まず、包装される物品１の胴面に対して、包装材料５が巻き付けられる。包装材料５の巻き付けは、任意の方法で行うことができ、例えば手作業で行ってもよい。
【００７７】
その後、図１８に示すように、包装用具１０の第１部分１１のみが包装材料５を介して物品１の上側側面１ｂと面するように、包装用具１０が包装材料５の上に配置される。このとき、平面視において、物品１の上側側面１ｂと第１部分１１は一致している。
【００７８】
次に、図１９に示すように、第２部分１２及び第３部分１３が第１部分１１に対して折り曲げられる。折り曲げられた状態で、第２部分１２は、包装材料５を介して、物品１の一側側面１ｃと一致し、第３部分１３は、包装材料５を介して、物品１の他側側面１ｄと一致する。
【００７９】
その後、図２０に示すように、第２一側端部２２が第２部分１２に対して折り曲げられ、第３一側端部２３が第３部分１３に対して折り曲げられる。第２一側端部２２及び第３一側端部２３が折り曲げられることで、包装材料５が折り曲げられて、第２部分１２と第２一側端部２２との間及び第３部分１３と第３一側端部２３との間に対面する位置で包装材料５に折り目が付けられる。このとき、第１部分１１の側及び第４部分１４の側の包装材料５は、第２一側端部２２及び第３一側端部２３の折り曲げに巻き込まれない。第２一側端部２２及び第３一側端部２３の第２方向ｄ２の寸法が物品１の一側端面１ｅの寸法より小さいため、第２一側端部２２及び第３一側端部２３のいずれか一方を折り曲げても他方の折り曲げを阻害することにはなりにくい。したがって、第２一側端部２２及び第３一側端部２３を同時に折り曲げることができる。
【００８０】
次に、図２１に示すように、第１一側端部２１が第１部分１１に対して折り曲げられる。第１一側端部２１が折り曲げられることで、第１部分１１と第１一側端部２１との間に対面する位置で包装材料５に折り目が付けられる。さらに、第２一側端部２２及び第３一側端部２３と第１一側端部２１との間の包装材料５にも折り目が付けられる。
【００８１】
その後、物品１の下側側面１ａ側から延出した包装材料５が折り曲げられる。この折り曲げは、例えば包装用具１０を物品１から取り外した後、包装用具１０の第１部分１１が物品１の下側側面１ａと一致するように配置されて、第１部分１１に対して第１一側端部２１が折り曲げられることで、第１部分１１と第１一側端部２１との間に対面する位置で包装材料５に折り目が付けられるようにしてもよい。或いは、物品１の下側側面１ａ側から延出した包装材料５は、手作業によって折り曲げられてもよい。下側側面１ａ側以外から延出した包装材料５が既に折り曲げられているため、手作業であっても、簡単且つ精度よく折り曲げることができる。
【００８２】
以上の工程によって、物品１の一側端面１ｅより外方に延出した包装材料５の端部を内側に折り曲げて物品１の端面に重ねる工程が実施される。また、物品１の他側端面１ｆより外方に延出した包装材料５の端部を内側に折り曲げて物品１の端面に重ねる工程についても、上述した一側端面１ｅにおける工程と同様の工程によって実施される。第３の実施の形態の包装用具１０では、物品１の他側端面１ｆにおける包装材料５の折り曲げ工程には、第１他側端部３１、第２他側端部３２及び第３他側端部３３が用いられて行われる。一方、第４の実施の形態の包装用具１０では、物品１の他側端面１ｆにおける包装材料５の折り曲げ工程のために、包装用具１０を取り外して、他側端面１ｆの側に第１一側端部２１、第２一側端部２２及び第３一側端部２３が向くように配置されることで行われてもよい。
【００８３】
あるいは、第１の実施の形態と同様の工程によって、物品１の包装工程が実施されてもよい。すなわち、まず包装用具１０の上に包装材料５が配置され、次に包装される物品１が包装材料５の上、とりわけ第１部分１１上に位置する包装材料の上に配置される。その後、第１部分１１に対して、第２部分１２及び第３部分１３が折り曲げられる。次に、包装材料５を物品１の上側側面１ｂへ折り曲げる。その後、第２一側端部２２が第２部分１２に対して折り曲げられ、第３一側端部２３が第３部分１３に対して折り曲げられる。次に、第１一側端部２１が第１部分１１に対して折り曲げられる。その後、物品１の下側側面１ａ側から延出した包装材料５が折り曲げられる。このような工程によって、物品１の一側端面１ｅより外方に延出した包装材料５の端部を内側に折り曲げて物品１の端面に重ねる工程が実施されてもよい。
【００８４】
なお、上述した第１の実施の形態および第２の実施の形態から、第４一側端部２４及び第４他側端部３４の少なくとも一方を省略してもよい。また、上述した第１の実施の形態および第２の実施の形態から、第１他側端部３１、第２他側端部３２、第３他側端部３３および第４他側端部３４の一以上を省略することも可能である。さらに、図示は省略するが、第１〜第４の実施の形態の包装用具１０に限らず、包装される物品１の形状や包装の態様に合わせて、包装用具１０の各要素が適宜に設けられ、または除外されてもよい。また、包装用具１０に上述した要素以外の追加的な要素が設けられてもよい。
【００８５】
以上のように、上述した実施の形態における包装用具１０は、シート状の包装材料５を折り曲げるための包装用具であって、平板状の第１部分１１と、第１部分１１に対して第１方向ｄ１の一側に配置され、第１部分１１に対して折り曲げ可能な平板状の第２部分１２と、第１部分１１に対して第１方向ｄ１の他側に配置され、第１部分１１に対して折り曲げ可能な平板状の第３部分１３と、第１部分１１に対して第１方向ｄ１と非平行な第２方向ｄ２の一側に配置され、第１部分１１に対して折り曲げ可能な平板状の第１一側端部２１と、第２部分１２に対して第２方向ｄ２の一側に配置され、第２部分１２に対して折り曲げ可能な平板状の第２一側端部２２と、第３部分１３に対して第２方向ｄ２の一側に配置され、第３部分１３に対して折り曲げ可能な平板状の第３一側端部２３と、を備える。このような包装用具１０によれば、包装される物品１の胴面、すなわち下側側面１ａ、一側側面１ｃ及び他側側面１ｄに対して包装材料５を巻き付け、物品１の一側端面１ｅより外方に延出した包装材料５の３つの端部を内側に折り曲げて物品１の端面に重なるよう、包装材料５の所定の位置に折り目を付けることができる。したがって、包装用具１０を用いることで、包装作業を行う作業者の熟練度合いに依存せずに、物品１の包装を容易に行うことができる。
【００８６】
また、上述した実施の形態の包装用具１０は、第２部分１２に対して第１方向ｄ１の一側に配置され、第２部分１２に対して折り曲げ可能な平板状の第４部分１４をさらに備える。このような包装用具１０によれば、包装される物品１の上側側面１ｂに対しても包装材料５を巻き付けるよう、包装材料５の所定の位置に折り目を付けることができる。したがって、包装用具１０を用いることで、包装作業を行う作業者の熟練度合いに依存せずに、物品１の包装をより容易に行うことができる。
【００８７】
さらに、上述した実施の形態の包装用具１０は、第４部分１４に対して第２方向ｄ２の一側に配置され、第４部分１４に対して折り曲げ可能な平板状の第４一側端部２４をさらに備える。このような包装用具１０によれば、包装される物品１の一側端面１ｅより外方に延出した包装材料５の全ての端部を内側に折り曲げて物品１の一側端面１ｅに重なるように、包装材料５の所定の位置に折り目を付けることができる。したがって、包装用具１０を用いることで、包装作業を行う作業者の熟練度合いに依存せずに、物品１の包装をより容易に行うことができる。
【００８８】
また、上述した実施の形態の包装用具１０において、第４部分１４は、開口部１４ａを有する。このような包装用具１０によれば、開口部１４ａを介してテープ等の固定手段を包装材料５に貼り付けることができ、物品１に対して包装材料５を固定することができる。したがって、包装用具１０を用いることで、包装作業を行う作業者の熟練度合いに依存せずに、物品１の包装をより容易に行うことができる。
【００８９】
さらに、上述した実施の形態の包装用具１０において、第４部分１４は、開口部１４ａを通り第１方向ｄ１と非平行な直線Ｌに沿って、折り曲げ可能である。このような包装用具１０によれば、直線Ｌに沿って、包装材料５を容易に位置決めすることができる。したがって、包装用具１０を用いることで、包装作業を行う作業者の熟練度合いに依存せずに、物品１の包装をより容易に行うことができる。
【００９０】
また、上述した実施の形態の包装用具１０は、第３部分１３に対して第１方向ｄ１の他側に配置され、第３部分１３に対して折り曲げ可能な平板状の第５部分１５をさらに備える。このような包装用具１０によれば、包装される物品１の上側側面１ｂの側にも重なるように包装材料５の所定の位置に折り目を付けることができる。したがって、包装用具１０を用いることで、包装作業を行う作業者の熟練度合いに依存せずに、物品１の包装をより容易に行うことができる。
【００９１】
さらに、上述した実施の形態の包装用具１０において、第２部分１２、第３部分１３、第４部分１４及び第５部分１５をそれぞれ折り曲げた状態で、第５部分１５は、第４部分１４の開口部１４ａと重なる位置に、切欠き部１５ａを有する。このような包装用具１０によれば、第５部分１５によって開口部１４ａを介した固定手段の包装材料５への貼り付けが妨げられにくい。
【００９２】
以下、図２２Ａ〜図３１Ｅを参照しながら、上述した実施の形態の変形例について説明する。
【００９３】
図２２Ａ〜図２２Ｆには、第１一側端部２１、第２一側端部２２及び第３一側端部２３の変形例が示されている。図２２Ａ〜図２２Ｆに示されている変形例では、第１一側端部２１、第２一側端部２２及び第３一側端部２３の形状及び意匠性において、上述の実施の形態と異なっている。
【００９４】
図示されている例では、包装用具１０は、上述した第４の実施の形態と略同一の形状を有しているが、その他の実施の形態でも各変形例の特徴は同様に適用され得る。図２２Ａ〜図２２Ｆを参照して説明する第１一側端部２１、第２一側端部２２及び第３一側端部２３の構成を、第１の実施の形態、第２の実施の形態又は第３の実施の形態に適用することも可能である。さらに言い換えると、図２２Ａ１に示すように、図２２Ａ〜図２２Ｆを参照して以下に説明する第１一側端部２１、第２一側端部２２及び第３一側端部２３の少なくともいずれか一つへの工夫は、第１他側端部３１、第２他側端部３２、第４他側端部３４、第４部分１４、第４一側端部２４、第４他側端部３４、第５部分１５、第６部分１６の構成や有無に依らず、包装用具１０に適用することができる。なお、図２２Ａ１には、図２２Ａに示された工夫を他の実施の形態に係る包装用具１０に適用した例を示しているが、図２２Ｂ〜図２２Ｈを他の実施の形態に係る包装用具１０に適用することも可能である。図２２Ａ１において、第１他側端部３１、第２他側端部３２、第３他側端部３３、第４部分１４、第４一側端部２４、第４他側端部３４、第５部分１５、第６部分１６等を点線にて示している。
【００９５】
図２２Ａに示されている例では、第１一側端部２１、第２一側端部２２及び第３一側端部２３は、上述した実施の形態と同様に、台形形状を有している。しかしながら、第１一側端部２１、第２一側端部２２及び第３一側端部２３は、図２２Ｂに示すように三角形形状を有していてもよいし、図２２Ｄに示すように半円形状を有していてもよいし、図２２Ｄに示すように凸字型の形状であってもよいし、図２２Ｅに示すように面取りされた矩形形状を有していてもよいし、図２２Ｆに示すように円形形状の組み合わせや多角形形状を有していてもよい。さらには、図２２Ｅの第３一側端部２３のように、第１一側端部２１、第２一側端部２２及び第３一側端部２３自体が、動物やキャラクター等を模した形状であってもよい。
【００９６】
また、第１一側端部２１、第２一側端部２２及び第３一側端部２３は、加飾部を有していてもよい。図２２Ａに示す例では、第３一側端部２３が星形の加飾部２３ｄを有している。図２２Ｂに示す例では、第３一側端部２３が三角形形状の加飾部２３ｄを有している。図２２Ｃに示す例では、第３一側端部２３が２つの円形の加飾部２３ｄを有している。図２２Ｄに示す例では、第１一側端部２１が３つの正方形形状の加飾部２１ｄを有し、第２一側端部２２が矩形形状の加飾部２２ｄを有し、第３一側端部２３が円形と方形を組み合わせた形状の加飾部２３ｄを有している。図２２Ｆに示す例では、第１一側端部２１が３つの円形形状の加飾部２１ｄを有し、第２一側端部２２が２つの円形形状の加飾部２２ｄを有し、第３一側端部２３が３つの菱形形状の加飾部２３ｄを有している。
【００９７】
図２３Ａ〜図２３Ｉには、主に第１部分１１〜第６部分１６の変形例が示されている。図示されている例では、包装用具１０は、上述した第１〜第４の実施の形態のいずれかと略同一の形状を有しているが、その他の実施の形態でも各変形例の特徴は同様に適用され得る。図２３Ａ〜図２３Ｉに示されている変形例では、第１部分１１〜第６部分１６の形状及び意匠性において、上述の各実施の形態と異なっている。
【００９８】
図２３Ａに示す例では、第１部分１１が多数の円形の加飾部１１ｄを有している。図２３Ｂに示す例では、図２３Ａに示した例の加飾部１１ｄが１つおきに除かれている。図２３Ｃに示す例では、第１部分１１及び第４部分１４がそれぞれ複数の菱形の加飾部１１ｄ、１４ｄを有している。図２３Ｄに示した例では、第２部分１２，第３部分１３及び第６部分１６がそれぞれ複数の五角形形状の加飾部１２ｄ、１３ｄ、１６ｄを有している。また、第４部分１４の開口部１４ａ及び直線Ｌが第４部分１４の中央からずれた位置に配置されており、開口部１４ａの形状が矩形と円形とを組み合わせた形状になっている。さらに、包装用具１０が、追加的な要素として、第６部分１６に対して第４部分１４とは反対側に配置された第７部分１７を有している。図２３Ｅに示した例では、開口部１４ａが六角形形状を有しており、第４部分１４が直線Ｌ１及び直線Ｌ２に沿って折り曲げ可能となっている。図２３Ｆに示した例では、第１部分１１が細長状で湾曲した形状の加飾部１１ｄを有し、第４部分１４が２つの開口部１４ａ１、１４ａ２を有している。図２３Ｇに示した例では、第４部分１４が２つの開口部１４ａ１、１４ａ２を有し、開口部１４ａ１を通る直線Ｌ１、開口部１４ａ２を通る直線Ｌ２及び直線Ｌ１及び直線Ｌ２とは別の直線Ｌ３に沿って折り曲げ可能となっている。また、包装用具１０が、追加的な要素として、第６部分１６に対して第４部分１４とは反対側に配置された第７部分１７を有している。図２３Ｈに示した例では、第１部分１１が開口部１１ａを有し、開口部１１ａを通る直線Ｌ２に沿って折り曲げ可能となっている。また、包装用具１０が、追加的な要素として、第６部分１６に対して第４部分１４とは反対側に配置された第７部分１７を有している。図２３Ｉに示した例では、第１部分１１、第４部分１４及び第５部分１５が、それぞれ複数の円形の加飾部１１ｄ、１４ｄ、１５ｄを有している。また、第４部分１４が開口部ではなく、切欠き部１４ｂを有している。第４部分１４及び第５部分１５は、切欠き部１４ｂ，１５ａの縁を通る直線Ｌ１，Ｌ２に沿って折り曲げ可能になっている。さらに、第１一側端部２１が２つに分離しており、分離したそれぞれの第１一側端部２１が加飾部２１ｄを有している。
【００９９】
図２２Ａ〜図２２Ｆ及び図２３Ａ〜図２３Ｉに示されている各加飾部は、例えば絵、柄、記号、文字であり得る。加飾部は、情報を表示するものであってもよいし、単なる意匠性を発揮するものであってもよい。あるいは、加飾部は開口であってもよい。
【０１００】
図２４Ａ〜図３１Ｅは、上述した第３の実施の形態の第１部分１１、第２部分１２及び第３部分１３の寸法を変化させた変形例を示している。図示されている例では、包装用具１０は、上述した第３の実施の形態と略同一の形状を有しているが、その他の実施の形態でも各変形例の特徴は同様に適用され得る。
【０１０１】
図２４Ａ〜図２４Ｃ、図２５Ａ〜図２５Ｅ、図２６Ａ〜図２６Ｅ、図２７Ａ〜図２７Ｅ、図２８Ａ〜図２８Ｅ、図２９Ａ〜図２９Ｅ、図３０Ａ〜図３０Ｅ及び図３１Ａ〜図３１Ｅに示された包装用具１０は、図の番号が同じ例では第１部分１１の寸法がそれぞれ同じであり、図の番号が異なる例では第１部分１１の寸法がそれぞれ異なっている。また、各図番号に付したアルファベットが同じ例では、第２部分１２及び第３部分１３の第１方向ｄ１に沿った長さがそれぞれ同じであり、図番号に付したアルファベットが異なる図に示された例では、第２部分１２及び第３部分１３の第１方向ｄ１に沿った長さがそれぞれ異なっている。例えば図２４Ｃ、図２５Ｃ、図２６Ｃ、図２７Ｃ、図２８Ｃ、図２９Ｃ、図３０Ｃ及び図３１Ｃに示された包装用具１０では、第２部分１２及び第３部分１３の第１方向ｄ１に沿った長さが同じである。図２４Ａ〜図３１Ｅでは、第１部分１１、又は第２部分１２及び第３部分１３の寸法が異なる包装用具１０が示されている。第１部分１１、第２部分１２及び第３部分１３の寸法は、包装される物品１の寸法によって適宜に設定することができる。包装用具１０の一例として、図２４Ａ〜図３１Ｅに示された寸法をとることができる。
【０１０２】
なお、図２４Ａ〜図３１Ｉを参照して説明した包装用具は、第１部分１１、第２部分１２、第３部分１３、第１一側端部２１、第２一側端部２２、第３一側端部２３、第１他側端部３１、第２他側端部３２及び第３他側端部３３のみを有しており、上述した第３の実施の形態に対応している。しかしながら、図２４Ａ〜図３１Ｉを参照して説明した包装用具を、第４の実施の形態に適用することも可能である。すなわち、図２４Ａ〜図３１Ｉに示された包装用具から、第１一側端部２１、第２一側端部２２、第３一側端部２３を省略してもよい。さらには、図２４Ａ〜図３１Ｉに示された包装用具から、第１一側端部２１、第２一側端部２２、第３一側端部２３の一以上を省略してもよい。
【０１０３】
また、図２４Ａ〜図３１Ｉを参照して説明した包装用具を、第１の実施の形態または第２の実施の形態に適用することも可能である。言い換えると、一例として図２４Ａ１に示すように、図２４Ａ〜図３１Ｉに示された第１部分１１、第２部分１２、第３部分１３、第１一側端部２１、第２一側端部２２、第３一側端部２３、第１他側端部３１、第２他側端部３２及び第３他側端部３３の組み合わせは、第４部分１４、第４一側端部２４、第４他側端部３４、第５部分１５、第６部分１６の有無や、第４部分１４、第４一側端部２４、第４他側端部３４、第５部分１５、第６部分１６の構成（形状、大きさ）に依らず、包装用具１０の一部分として含まれるようにしてもよい。
【符号の説明】
【０１０４】
１    物品
５    包装材料
１０    包装用具
１１    第１部分
１２    第２部分
１３    第３部分
１４    第４部分
１４ａ  開口部
１５    第５部分
１５ａ  切欠き部
１６    第６部分
１７    第７部分
２１    第１一側端部
２２    第２一側端部
２３    第３一側端部
２４    第４一側端部
３１    第１他側端部
３２    第２他側端部
３３    第３他側端部
３４    第４他側端部
Ｌ    直線
【図１Ａ】
2019034783.tif 000003
【図１Ｂ】
2019034783.tif 000004
【図２】
2019034783.tif 000005
【図３】
2019034783.tif 000006
【図４Ａ】
2019034783.tif 000007
【図４Ｂ】
2019034783.tif 000008
【図５Ａ】
2019034783.tif 000009
【図５Ｂ】
2019034783.tif 000010
【図６Ａ】
2019034783.tif 000011
【図６Ｂ】
2019034783.tif 000012
【図７Ａ】
2019034783.tif 000013
【図７Ｂ】
2019034783.tif 000014
【図８Ａ】
2019034783.tif 000015
【図８Ｂ】
2019034783.tif 000016
【図９Ａ】
2019034783.tif 000017
【図９Ｂ】
2019034783.tif 000018
【図１０Ａ】
2019034783.tif 000019
【図１０Ｂ】
2019034783.tif 000020
【図１１】
2019034783.tif 000021
【図１２】
2019034783.tif 000022
【図１３】
2019034783.tif 000023
【図１４】
2019034783.tif 000024
【図１５】
2019034783.tif 000025
【図１６】
2019034783.tif 000026
【図１７】
2019034783.tif 000027
【図１８】
2019034783.tif 000028
【図１９】
2019034783.tif 000029
【図２０】
2019034783.tif 000030
【図２１】
2019034783.tif 000031
【図２２Ａ】
2019034783.tif 000032
【図２２Ａ１】
2019034783.tif 000033
【図２２Ｂ】
2019034783.tif 000034
【図２２Ｃ】
2019034783.tif 000035
【図２２Ｄ】
2019034783.tif 000036
【図２２Ｅ】
2019034783.tif 000037
【図２２Ｆ】
2019034783.tif 000038
【図２３Ａ】
2019034783.tif 000039
【図２３Ｂ】
2019034783.tif 000040
【図２３Ｃ】
2019034783.tif 000041
【図２３Ｄ】
2019034783.tif 000042
【図２３Ｅ】
2019034783.tif 000043
【図２３Ｆ】
2019034783.tif 000044
【図２３Ｇ】
2019034783.tif 000045
【図２３Ｈ】
2019034783.tif 000046
【図２３Ｉ】
2019034783.tif 000047
【図２４Ａ】
2019034783.tif 000048
【図２４Ａ１】
2019034783.tif 000049
【図２４Ｂ】
2019034783.tif 000050
【図２４Ｃ】
2019034783.tif 000051
【図２５Ａ】
2019034783.tif 000052
【図２５Ｂ】
2019034783.tif 000053
【図２５Ｃ】
2019034783.tif 000054
【図２５Ｄ】
2019034783.tif 000055
【図２５Ｅ】
2019034783.tif 000056
【図２６Ａ】
2019034783.tif 000057
【図２６Ｂ】
2019034783.tif 000058
【図２６Ｃ】
2019034783.tif 000059
【図２６Ｄ】
2019034783.tif 000060
【図２６Ｅ】
2019034783.tif 000061
【図２７Ａ】
2019034783.tif 000062
【図２７Ｂ】
2019034783.tif 000063
【図２７Ｃ】
2019034783.tif 000064
【図２７Ｄ】
2019034783.tif 000065
【図２７Ｅ】
2019034783.tif 000066
【図２８Ａ】
2019034783.tif 000067
【図２８Ｂ】
2019034783.tif 000068
【図２８Ｃ】
2019034783.tif 000069
【図２８Ｄ】
2019034783.tif 000070
【図２８Ｅ】
2019034783.tif 000071
【図２９Ａ】
2019034783.tif 000072
【図２９Ｂ】
2019034783.tif 000073
【図２９Ｃ】
2019034783.tif 000074
【図２９Ｄ】
2019034783.tif 000075
【図２９Ｅ】
2019034783.tif 000076
【図３０Ａ】
2019034783.tif 000077
【図３０Ｂ】
2019034783.tif 000078
【図３０Ｃ】
2019034783.tif 000079
【図３０Ｄ】
2019034783.tif 000080
【図３０Ｅ】
2019034783.tif 000081
【図３１Ａ】
2019034783.tif 000082
【図３１Ｂ】
2019034783.tif 000083
【図３１Ｃ】
2019034783.tif 000084
【図３１Ｄ】
2019034783.tif 000085
【図３１Ｅ】
2019034783.tif 000086